(57)【要約】      （修正有）【課題】放出後に容器内に残る薬剤の量を少なくすることができる消火装置を提供する。【解決手段】高粘度消火剤が貯蔵される貯蔵容器２と、消火剤を外部に放出する放出部３と、消火剤を放出部３に圧送するポンプ４と、を備えた消火装置１−１であって、ポンプ４の振動を、ポンプ４と貯蔵容器２を接触させて直接、貯蔵容器２に伝えるか、又はポンプ４と貯蔵容器２との間に設けた振動伝達手段５を介して貯蔵容器２に伝えるように構成したことを特徴とする。【選択図】図１
2020151286.tif 000002
【特許請求の範囲】
【請求項１】
高粘度消火剤が貯蔵される貯蔵容器と、前記消火剤を外部に放出する放出部と、前記消火剤を前記放出部に圧送するポンプと、を備えた消火装置であって、
前記ポンプの振動を、前記ポンプと前記貯蔵容器を接触させて直接、前記貯蔵容器に伝えるか、又は前記ポンプと前記貯蔵容器との間に設けた振動伝達手段を介して前記貯蔵容器に伝えるように構成したことを特徴とする消火装置。
【請求項２】
前記ポンプは、圧縮ガスの圧力によって駆動するエア駆動型のポンプであることを特徴とする請求項１に記載の消火装置。
【請求項３】
前記振動伝達手段は、前記貯蔵容器と前記ポンプを接続する鋼管であることを特徴とする請求項１又は２に記載の消火装置。
【請求項４】
前記貯蔵容器は、その吐出口部が設けられる側が低くなるように容器全体が傾斜して設置されることを特徴とする請求項１乃至３のいずれか１項に記載の消火装置。
【請求項５】
前記貯蔵容器を、その吐出口部が設けられる側が低くなるように容器全体を自働的に傾動させる傾動機構部をさらに備えたことを特徴とする請求項１乃至３のいずれか１項に記載の消火装置。
【請求項６】
前記貯蔵容器は、その内面が吐出口部に向けて下方に傾斜する傾斜面として形成されることを特徴とする請求項１乃至３のいずれか１項に記載の消火装置。
【発明の詳細な説明】
【技術分野】
【０００１】
この発明は、火源やその周辺に薬剤を散布して、消火や延焼防止を行う消火装置に関する。
【背景技術】
【０００２】
本件出願人は、消火や延焼防止用の薬剤（以下、単に「消火剤」という）として、チキソトロピー性（掻き混ぜたり振り混ぜたりすることにより、ゲルからゾルに変化する性質）を有する高粘度液体を用いる技術を種々提案している（スプリンクラ消火設備で用いるものとして、例えば、特許文献１参照）。
【０００３】
消火剤として用いられる、チキソトロピー性を有する高粘度液体（以下、単に「高粘度消火剤」という）は、放出時には、せん断力が加えられることにより低粘度になって放出し易い状態になる一方、放出後には、放出した箇所で高粘度に戻って、その箇所に留まり易い状態になるものであり、水損を小さくしたり、周囲から飛散する火の粉による延焼を防止したりできる等、高粘度であるがゆえの利点が得られるものである。
【先行技術文献】
【特許文献】
【０００４】
【特許文献１】特開２０１４−１４４０１号公報
【発明の概要】
【発明が解決しようとする課題】
【０００５】
しかしながら、高粘度消火剤は、静置状態では粘度が高いため、他の薬剤に比べ、放出後に容器内に残る量が多く、放出効率が低下するという問題がある。
【０００６】
この発明は、前記の事情に鑑み、放出後に容器内に残る薬剤の量を少なくすることができる消火装置を得ることを目的とする。
【課題を解決するための手段】
【０００７】
この発明は、高粘度消火剤が貯蔵される貯蔵容器と、前記消火剤を外部に放出する放出部と、前記消火剤を前記放出部に圧送するポンプと、を備えた消火装置であって、前記ポンプの振動を、前記ポンプと前記貯蔵容器を接触させて直接、前記貯蔵容器に伝えるか、又は前記ポンプと前記貯蔵容器との間に設けた振動伝達手段を介して前記貯蔵容器に伝えるように構成したことを特徴とする。
【０００８】
また、この発明において、前記ポンプは、圧縮ガスの圧力によって駆動するエア駆動型のポンプとすることができる。前記振動伝達手段は、前記貯蔵容器と前記ポンプを接続する鋼管とすることができる。
【０００９】
また、この発明において、前記貯蔵容器は、その吐出口部が設けられる側が低くなるように容器全体が傾斜して設置されるものとすることができる。或いは、前記貯蔵容器は、その内面が吐出口部に向けて下方に傾斜する傾斜面として形成されるものとすることができる。
【００１０】
なお、この発明は、前記ポンプの振動を、前記ポンプと前記貯蔵容器を接触させて直接、前記貯蔵容器に伝えるか、又は前記ポンプと前記貯蔵容器との間に設けた振動伝達手段を介して前記貯蔵容器に伝えるように構成するのに加えて、或いは、そのように構成するのに代えて、前記貯蔵容器を、その吐出口部が設けられる側が低くなるように容器全体を自働的に傾動させる傾動機構部をさらに備えるものとすることができる。
【発明の効果】
【００１１】
この発明によれば、放出時、ポンプの振動を貯蔵容器に伝えることができ、その振動を貯蔵容器に貯蔵される高粘度消火剤にも伝えることができる。それにより、高粘度消火剤にせん断力を与えることができ、その粘度を低下させることができるので、高粘度消火剤を貯蔵容器内で吐出口に向けて流れ易くすることができ、貯蔵容器内に残る薬剤の量を少なくすることができる。
【００１２】
したがって、この発明によれば、放出後に容器内に残る薬剤の量を少なくすることができる消火装置を得ることができる。
【００１３】
なお、この発明は、貯蔵容器を、その側部に設けられる吐出口部側に向けて高粘度消火剤が流れるように容器全体が傾斜して設置されるものとしたり、その底部に設けられる吐出口部に向けて前記消火剤が流れるように底部内面が傾斜して形成されるものとしたりすることによっても、高粘度消火剤を貯蔵容器内で吐出口に向けて流れ易くすることができ、貯蔵容器内に残る薬剤の量を少なくすることができる。
【００１４】
また、この発明は、ポンプの振動を貯蔵容器に伝えるようにするのに加えて、或いは、そのようにするのに代えて、貯蔵容器を、その側部に設けられる吐出口部側に向けて前記消火剤が流れるように容器全体を自動的に傾動させる傾動機構部をさらに備えたものとすることによっても、高粘度消火剤を貯蔵容器内で吐出口に向けて流れ易くすることができ、貯蔵容器内に残る薬剤の量を少なくすることができる。
【図面の簡単な説明】
【００１５】
【図１】この発明の実施形態の一例を示したものであり、消火装置の構成中、薬剤タンク、ポンプ、配管の部分を示した説明図である。
【図２】他の例を示したものであり、図１と同様の説明図である。
【図３】さらに他の例を示したものであり、図１と同様の説明図である。
【図４】さらに他の例を示したものであり、薬剤タンクの部分を示した説明図である。
【図５】さらに他の例を示したものであり、薬剤タンクと、その薬剤タンクを傾動させる傾動機構部の部分を示した説明図である。
【図６】同上の例において、傾動機構部が動作して、薬剤タンクが傾斜した状態を示した、図５と同様の説明図である。
【図７】さらに他の例を示したものであり、図５及び６に示したものとは別例の傾動機構部が動作して、薬剤タンクが傾斜した状態を示した、図６と同様の説明図である。
【発明を実施するための形態】
【００１６】
この発明の消火装置の実施形態について、図面を参照しつつ説明する。
【００１７】
［第１の実施形態］
まず、図１を参照しつつ、第１の実施形態の消火装置１−１について説明する。
【００１８】
・基本構成
図１に示したように、消火装置１−１は、高粘度消火剤が貯蔵される貯蔵容器の一例である薬剤タンク２と、その消火剤を外部に放出する放出部の一例であり、先端側にノズル３ａを有する消火ホース３と、その消火ホース３に消火剤を圧送するポンプ４と、を備えている。そして、薬剤タンク２に設けられる吐出口部２ａとポンプ４の一次側が接続管５によって接続されると共に、消火用ホース３の基端側がポンプ４の二次側に接続されており、薬剤タンク２の吐出口部２ａから吐出される高粘度消火剤をポンプ４が吸い込んで、消火用ホース３に押し出して圧送し、そのノズル３ａから放出することができるようになっている。
【００１９】
・高粘度消火剤
高粘度消火剤としては、チキソトロピー性（掻き混ぜたり振り混ぜたりすることにより、ゲルからゾルに変化する性質）を有する高粘度液体が用いられる。そのような高粘度液体としては、例えば、水にチキソトロピー性をもたらすコロイド性含水ケイ酸塩を含む鉱物やそのケイ酸塩からなる化合物等を含む添加剤を添加して調整したものを用いることができる。
【００２０】
・振動の伝達
消火装置１−１は、ポンプ４の動作時の振動を薬剤タンク２に伝達するように構成されている。振動の伝達方法としては、ポンプ４の振動を薬剤タンク２に、直接的に伝達することもできるが、間接的に伝達することもできる。
【００２１】
・間接的伝達
本実施形態の場合、その振動を、振動伝達手段を介して間接的に薬剤タンク２に伝達するものとしている。具体的には、薬剤タンク２の吐出口部２ａとポンプ４を接続する接続管５を振動伝達手段とし、ポンプ４の動作時の振動を薬剤タンク２に接続管５を介して伝達するものとしている。接続管５としては、金属製のものを用いることができ、例えば、鋼管を用いることができる。鋼管を用いることにより、ポンプ４の振動を薬剤タンク２に伝え易くすることができる。なお、この接続管５としては、振動を伝えることが可能な硬さを有するものであれば、金属製以外のものでも用いることができる。
【００２２】
・薬剤残量の低減
消火装置１−１は、ポンプ４の動作時の振動を薬剤タンク２に伝えるように構成されていることによって、その振動を薬剤タンク２に貯蔵される高粘度消火剤にも伝えることができる。それにより、高粘度消火剤にせん断力を与えることができ、その粘度を低下させることができる。高粘度消火剤は、図１に示したように、薬剤タンク２内の壁部や底部に残り易いが、その粘度が低下することによって、吐出口部２ａに向けて流れ易くなり、薬剤タンク２内に残る量が少なくなる。
【００２３】
つまり、消火装置１−１においては、ポンプ４の動作時の振動を薬剤タンク２に伝えるように構成されていることによって、薬剤タンク２内に残る薬剤の量を少なくすることができる。
【００２４】
そして、前記のように、振動伝達手段でもある接続管５として、振動が伝わり易い鋼管を用いることとすれば、ポンプ４の振動を高粘度消火剤に伝え易くすることができるので、それによっても、吐出口部２ａに向けて流れ易くすることができ、薬剤タンク２内に残る薬剤の量を少なくすることができる。
【００２５】
・エア駆動型ポンプ
ポンプ４としては、圧縮ガスの圧力によって駆動するエア駆動型ポンプを用いることができる。エア駆動型ポンプは、通常のポンプに比べて振動が大きいため、より大きな振動を高粘度消火剤に伝えることができる。なお、このポンプ４としては、振動を高粘度消火剤に伝えることができるものであれば、他の種類のポンプを用いることもできる。
【００２６】
つまり、消火装置１−１においては、エア駆動型ポンプを用いることとすれば、それによっても、高粘度消火剤の粘度をより低下させて、吐出口部２ａに向けて流れ易くすることができ、薬剤タンク２内に残る薬剤の量を少なくすることができる。
【００２７】
なお、エア駆動型ポンプを用いる場合の圧縮ガスの供給源としては、例えば、圧縮ガスを封入したガスボンベ（例えば窒素ボンベ等）とすることができるし、圧縮エアを生成するエアコンプレッサとすることができる。
【００２８】
・底部の傾斜面
本実施形態において、薬剤タンク２は、吐出口部２ａが底部に設けられているが、その底部の内面２ｂが吐出口部２ａに向けて下方に傾斜する傾斜面として形成されており、高粘度消火剤が吐出口部２ａに向けて流れ易くなっている。
【００２９】
つまり、消火装置１−１においては、薬剤タンク２の底部の内面２ｂが吐出口部２ａに向けて下方に傾斜する傾斜面として形成されていることによっても、吐出口部２ａに向けて流れ易くすることができ、薬剤タンク２内に残る薬剤の量を少なくすることができる。
【００３０】
［第２の実施形態］
次に、図２を参照しつつ、第２の実施形態の消火装置１−２について説明する。
【００３１】
消火装置１−２において、消火装置１−１と異なるところは、ポンプ４の振動を薬剤タンク２に振動伝達手段を介して間接的に伝達するのに代えて、直接的に伝達するものとしている点である。その他の構成部分は、消火装置１−１と同様であり、同一図面符号を付して、その詳細な説明を省略する。
【００３２】
・直接的伝達
すなわち、図２に示したように、消火装置１−２において、ポンプ４は、薬剤タンク２に接触する配置で設けられている。これにより、ポンプ４の動作時の振動は、直接的に薬剤タンク２に伝達される。
【００３３】
つまり、この消火装置１−２においても、消火装置１−１と同様、薬剤タンク２内に残る薬剤の量を少なくすることができる。
【００３４】
ここで、ポンプ４を薬剤タンク２に接触させる位置としては、底部側とするのが好ましい。そのようにすることにより、高粘度消火剤が残り易い底部側に強く振動を伝達することができ、高粘度消火剤を底部側で吐出口部２ａに向けて流れ易くすることができる。すなわち、そのようにすることによっても、薬剤タンク２内に残る薬剤の量を少なくすることができる。
【００３５】
［第３の実施形態］
次に、図３を参照しつつ、第３の実施形態の消火装置１−３について説明する。
【００３６】
消火装置１−３は、消火装置１−２と同様、ポンプ４の振動を薬剤タンクに直接的に伝達するものであるが、消火装置１−２と異なるところは、高粘度消火剤が貯蔵される貯蔵容器として、サイホン管式の薬剤タンク２’を採用している点である。その他の構成部分は、消火装置１−２と同様であり、同一図面符号を付して、その詳細な説明を省略する。
【００３７】
・サイホン管式の薬剤タンク
すなわち、図３に示したように、消火装置１−３は、高粘度消火剤が貯蔵される貯蔵容器として、サイホン管式の薬剤タンク２’を備えている。薬剤タンク２’は、その上部に設けられる吐出口部２’ａを有すると共に、その内部に上下方向に延在して設けられ、高粘度消火剤を吐出口部２’ａに誘導するサイホン管２’ｃを有する。
【００３８】
そして、薬剤タンク２’の吐出口部２’ａと接続管５を介して接続されるポンプ４が、消火装置１−２と同様、その薬剤タンク２’と直接接触する配置で設けられている。
【００３９】
つまり、この消火装置１−３においても、消火装置１−２と同様、薬剤タンク２’内に残る薬剤の量を少なくすることができる。
【００４０】
［第４の実施形態］
次に、図４を参照しつつ、第４の実施形態の消火装置１−４について説明する。
【００４１】
消火装置１−４において、消火装置１−１〜３と異なるところは、高粘度消火剤が貯蔵される貯蔵容器として、箱型の薬剤タンク２’’を採用しつつ、その薬剤タンク２’’を吐出口部２’’ａが設けられる側部２’’ｄの側が低くなるように傾斜して設置されるものとしている点である。
【００４２】
・薬剤タンクの傾斜設置
すなわち、図４に示したように、消火装置１−４は、高粘度消火剤が貯蔵される容器として、側部に吐出口部２’’ａが設けられる、箱型の薬剤タンク２’’を備えている。そして、消火装置１−４は、その薬剤タンク２’’が、吐出口部２’’ａが設けられる側部２’’ｄの側が低くなるように傾斜して設置されており、それにより、薬剤タンク２’’内の高粘度消火剤が吐出口部２’’ａに向けて流れ易くなっている。
【００４３】
そして、この消火装置１−４も、図示は省略しているが、消火装置１−１か、或いは、消火装置１−２及び３と同様に、接続管５、ポンプ４、消火ホース３をさらに備えるものであり、薬剤タンク２’’にポンプ４の振動を、振動伝達手段を介して間接的に伝達するか、或いは、ポンプ４を接触させて直接的に伝達するように構成されるものである。
【００４４】
つまり、消火装置１−４においては、ポンプ４の動作時の振動を薬剤タンク２に伝えるように構成されていることによって、薬剤タンク２内に残る薬剤の量を少なくすることができるだけでなく、薬剤タンク２’’が、吐出口部２’’ａが設けられる側部２’’ｄの側が低くなるように傾斜して設置されていることによっても、薬剤タンク２’’内に残る薬剤の量を少なくすることができる。
【００４５】
なお、本実施形態において、薬剤タンク２’’は、具体的には、吐出口部２’’ａが設けられるのとは反対の側部２’’ｅの側の底部が台座６に載置されるものとしており、それにより、吐出口部２’’ａが設けられる側部２’’ｄの側が低くなるように傾斜して設置されるものとしている。この薬剤タンク２’’の設置の方法については、吐出口部２’’ａが設けられる側部２’’ｄの側が低くなるように傾斜して設置することのできるものであれば、他の方法としてもよいことはもちろんである。
【００４６】
［第５の実施形態］
次に、図５及び６を参照しつつ、第５の実施形態の消火装置１−５について説明する。
【００４７】
消火装置１−５は、消火装置１−４と同様、高粘度消火剤が貯蔵される容器として、箱型の薬剤タンク２’’を採用しているものであるが、消火装置１−４と異なるところは、その吐出口部２’’ａが設けられる側部２’’ｄの側が低くなるように薬剤タンク２’’を傾動させる傾動機構部７を備えるものとしている点である。
【００４８】
・傾動機構部
すなわち、図５及び６に示したように、消火装置１−５は、高粘度消火剤が貯蔵される容器として、側部に吐出口部２’’ａが設けられる、箱型の薬剤タンク２’’を備えている。そして、消火装置１−５は、吐出口部２’’ａが設けられる側部２’’ｄの側が低くなるように薬剤タンク２’’を傾動させる傾動機構部７をさらに備えており、それにより、薬剤タンク２’’内の高粘度消火剤が吐出口部２’’ａに向けて流れ易くすることができるようになっている。
【００４９】
傾動機構部７は、具体的には、吐出口部２’’ａが設けられる側部２’’ｄの側の底部側の位置を回転の中心として、薬剤タンク２’’を回動可能にすると共に、その位置で薬剤タンク２’’を支持する回転軸支部８と、薬剤タンク２’’を押動して、回転軸支部８によって回転させ、吐出口部２’’が設けられる側部２’’ｄの側が低くなるように傾動させる傾動駆動手段として機能する、エアシリンダ９を備えている。
【００５０】
エアシリンダ９は、圧縮ガスの圧力によって駆動するピストン部９ａを有しており、ピストン部９ａが伸長することによって、その先端が薬剤タンク２’’を押圧して押動し、前記の通り、薬剤タンク２’’を傾動させるように配置されて設けられている。エアシリンダ９への圧縮ガスの供給源としては、例えば、圧縮ガスを封入したガスボンベ（例えば窒素ボンベ等）とすることができるし、圧縮ガスを生成するエアコンプレッサとすることができる。なお、図示の例では、その圧縮ガスの供給源をポンプ４と共用する場合を示している。
【００５１】
傾動機構部７は、手動で作動するものとしてもよいが、本実施形態の場合、高粘度消火剤の放出時、その放出によって薬剤タンク２’’の質量が軽くなったときに、自動的に作動するように構成されている。すなわち、傾動機構部７は、薬剤タンク２’’の質量の変化を監視する荷重計（例えばロードセル等）１０と、その荷重計１０と信号線によって接続されつつ、エアシリンダ９と圧縮ガスの供給源とを接続する配管の途中に設けられる、常時は閉の電動弁１１をさらに備えており、高粘度消火剤の放出時、薬剤タンク２’’の質量が軽くなったときに自働的に、荷重計１０から送出される信号によって電動弁１１が開作動し、圧縮ガスがエアシリンダ９に供給されて、エアシリンダ９が作動するように構成されている。
【００５２】
本実施形態の場合、薬剤タンク２’’は、架台１２上に設置されるものとしている。そして、傾動機構部７において、荷重計１０は、架台１２の下側に位置して薬剤タンク２’’による荷重の変化を感知するように配置されて設けられるものとしており、回転軸支部８は、薬剤タンク２’’の吐出口部２’’ａが設けられる側部２’’ｄの側の底部に配置されて設けられるものとしており、エアシリンダ９は、架台１２を貫通し、その側部２’’ｄとは反対の側部２’’ｅの側の底部を下方から押し上げられるように配置されて設けられるものとしている。なお、１３は、回転軸支部８が設けられるのとは反対の側部２’’ｅの側の底部が載置される台座であり、回転軸支部８と同じ高さを有するものである。
【００５３】
図５は、高粘度消火剤が放出されておらず、傾動機構部７のエアシリンダ９が作動していない状態を示したものである。薬剤タンク２’’は、同図に示したように、水平の状態が保たれている。図６は、高粘度消火剤が放出されて、薬剤タンク２’’の質量が軽くなり、傾動機構部７のエアシリンダ９が作動している状態を示したものである。薬剤タンク２’’は、同図に示したように、エアシリンダ９によって、吐出口部２’’ａが設けられるのとは反対の側部２’’ｅの側の底部が下方から押し上げられて、回転軸支部８によって回転して傾動し、吐出口部２’’が設けられる側部２’’ｄの側が低くなるように傾斜しており、薬剤タンク２’’内の高粘度消火剤が吐出口部２’’ａに向けて流れ易い状態になっている。すなわち、消火装置１−５は、薬剤タンク２’’内に残る薬剤の量を少なくすることができる状態になっている。
【００５４】
そして、この消火装置１−５も、図示は省略しているが、消火装置１−１か、或いは、消火装置１−２及び３と同様に、接続管５、ポンプ４、消火ホース３の構成部分をさらに備えるものであり、薬剤タンク２’’にポンプ４の振動を、振動伝達手段を介して間接的に伝達するか、或いは、ポンプ４を接触させて直接的に伝達するように構成されるものである。
【００５５】
つまり、消火装置１−５においては、ポンプ４の動作時の振動を薬剤タンク２に伝えるように構成されていることによって、薬剤タンク２内に残る薬剤の量を少なくすることができるだけでなく、薬剤タンク２’’を吐出口部２’’ａが設けられる側部２’’ｄの側が低くなるように傾動させる傾動機構部７を備えていることによっても、薬剤タンク２’’内に残る薬剤の量を少なくすることができる。
【００５６】
なお、この消火装置１−５について、消火装置１−１か、或いは、消火装置１−２及び３と同様に、薬剤タンク２’’にポンプ４の振動を、振動伝達手段を介して間接的に伝達するか、或いは、ポンプ４を接触させて直接的に伝達するように構成されるものとして説明したが、そのようには構成されないものとすることもできる。
【００５７】
・揺動手段としての使用
傾動機構部７は、エアシリンダ９をタイマー制御等により所定の間隔でピストン部９ａを伸縮させて、薬剤タンク２’’を往復して傾動させ、上下に揺動させるようにしてもよい。すなわち、傾動機構部７を揺動手段として用いるようにしてもよい。そのようにすれば、薬剤タンク２’’の壁部や底部に高粘度消火剤が付着したとしても、それを揺り落とすようにすることができ、それによっても、消火装置１−５は、薬剤タンク２’’内に残る薬剤の量を少なくすることができる。
【００５８】
［第６の実施形態］
次に、図７を参照しつつ、第６の実施形態の消火装置１−６について説明する。
【００５９】
消火装置１−６は、消火装置１−５と同様、高粘度消火剤が貯蔵される容器として、箱型の薬剤タンク２’’を採用しつつ、その吐出口部２’’ａが設けられる側部２’’ｄの側が低くなるように薬剤タンク２’’を傾動させる傾動機構部７を備えているものであるが、消火装置１−５と異なるところは、そのエアシリンダ９に代えて、スプリング部材９’としている点であり、エアシリンダ９を自働的に作動させるための荷重計１０や電磁弁１１等の構成部分を省略して簡易な構成としている点である。その他の構成部分は、消火装置１−５と同様である。
【００６０】
すなわち、図６に示したように、消火装置１−６において、傾動機構部７は、薬剤タンク２’’を押動して、回転軸支部８によって回転させ、吐出口部２’’が設けられる側部２’’ｄの側が低くなるように傾動させる傾動駆動手段として、エアシリンダ９に代えて、スプリング部材９’を備えている。
【００６１】
スプリング部材９’は、具体的には、コイルスプリングであり、架台１２に載置されて、高粘度消火剤の放出時、その放出によって薬剤タンク２’’の質量が軽くなったときに、自身の復元力により伸長して、薬剤タンク２’’の吐出口部２’’ａが設けられる側部２’’ｄとは反対の側部２’’ｅの側の底部を下方から押し上げられるように配置されて設けられている。
【００６２】
図６は、高粘度消火剤が放出されて、薬剤タンク２’’の質量が軽くなり、傾動機構部７のスプリング部材９’が伸長している状態を示したものである。薬剤タンク２’’は、消火装置１−５について上記で説明した通り、消火装置１−６においても、回転軸支部８によって回転して傾動し、吐出口部２’’が設けられる側部２’’ｄの側が低くなるように傾斜しており、薬剤タンク２’’内の高粘度消火剤が吐出口部２’’ａに向けて流れ易い状態になっている。すなわち、薬剤タンク２’’内に残る薬剤の量を少なくすることができる状態になっている。
【００６３】
つまり、消火装置１−６においても、消火装置１−５と同様、薬剤タンク２’’内に残る薬剤の量を少なくすることができる。
【００６４】
なお、この消火装置１−６について、消火装置１−５と同様とし、消火装置１−１か、或いは、消火装置１−２及び３と同様に、薬剤タンク２’’にポンプ４の振動を、振動伝達手段を介して間接的に伝達するか、或いは、ポンプ４を接触させて直接的に伝達するように構成されるものとして説明したが、そのようには構成されないものとすることもできる。
【００６５】
［実施形態の変更例等］
以上、この発明の実施形態について説明したが、この発明は上記の実施形態に限定されるものではなく、発明の趣旨の範囲内で種々の変更等が可能である。
【００６６】
例えば、消火装置１−３については、消火装置１−１と同様に、薬剤タンク２’にポンプ４の振動を、振動伝達手段を介して間接的に伝達するように構成されるものとしてもよい。
【符号の説明】
【００６７】
１−１〜１−６：消火装置（第１〜６の実施形態）
２：薬剤タンク（第１の実施形態）  ２ａ：吐出口（第１の実施形態）
２ｂ：底部内面（第１の実施形態）  ２’：薬剤タンク（第３の実施形態）
２’ａ：吐出口部  ２’ｃ：サイホン管（同前）
２’’（第４〜６の実施形態）  ２’’ａ：吐出口部
２’’ｄ：吐出口部側の側部（同前）  ２’’ｅ：反対側の側部（同前）
３：（第１〜６の実施形態）  ４：ポンプ：（同前）  ５：接続管（同前）
６：台座（第４の実施形態）  ７：傾動機構部（第５及び６の実施形態）
８：回転軸支部（同前）  ９：エアシリンダ（第５の実施形態）
９ａ：ピストン部（同前）  ９’：スプリング部材（第６の実施形態）
１０：荷重計（第５の実施形態）  １１：電動弁（同前）
１２：架台（第５及び６の実施形態）
【図１】
2020151286.tif 000003
【図２】
2020151286.tif 000004
【図３】
2020151286.tif 000005
【図４】
2020151286.tif 000006
【図５】
2020151286.tif 000007
【図６】
2020151286.tif 000008
【図７】
2020151286.tif 000009